(57)【要約】【課題】効率的に音声品質の良い楽曲データを保存することのできるオーディオ装置を提供する。【解決手段】オーディオ装置１は、第１放送波の受信処理を行うことにより第１再生信号を生成する第１放送処理部１０と、第１再生信号に応じた音声を再生する再生部１４、１５と、第１再生信号に係る音声データを一時的に記憶する第１記憶部１７と、第１放送波に係る放送のタイムテーブルを取得するタイムテーブル取得部２２と、ユーザによる楽曲の保存指示を受け付ける保存指示受付部２２と、保存指示受付部２２が保存指示を受け付けた場合、タイムテーブルに基づいて、第１記憶部１７に一時的に記憶された音声データから、保存指示受付部２２が保存指示を受け付けた時刻に応じた所定の楽曲の第１楽曲データを切り出し、該第１楽曲データを記憶する第２記憶部１８と、を備える。【選択図】図１
2019121958.tif 000002
【特許請求の範囲】
【請求項１】
第１放送波の受信処理を行うことにより第１再生信号を生成する第１放送処理部と、
前記第１再生信号に応じた音声を再生する再生部と、
前記第１再生信号に係る音声データを一時的に記憶する第１記憶部と、
前記第１放送波に係る放送のタイムテーブルを取得するタイムテーブル取得部と、
ユーザによる楽曲の保存指示を受け付ける保存指示受付部と、
前記保存指示受付部が前記保存指示を受け付けた場合、前記タイムテーブルに基づいて、
前記第１記憶部に一時的に記憶された前記音声データから、前記保存指示受付部が前記保存指示を受け付けた時刻に応じた所定の楽曲の第１楽曲データを切り出し、該第１楽曲データを記憶する第２記憶部と、を備えることを特徴とするオーディオ装置。
【請求項２】
前記タイムテーブル取得部は、
前記第１放送波に前記タイムテーブルが重畳されている場合、前記第１放送波から重畳された前記タイムテーブルを分離することにより、前記タイムテーブルを取得し、
前記第１放送波に前記タイムテーブルが重畳されていない場合、通信ネットワークを介して、前記タイムテーブルを取得する、請求項１に記載のオーディオ装置。
【請求項３】
前記第１放送波と同一の内容の第２放送波の受信処理を行うことにより第２再生信号を生成する第２放送波処理部と、
前記第１再生信号及び前記第２再生信号それぞれの音声品質を検出し、前記第１再生信号及び前記第２再生信号のうち音声品質の良い信号を選択する選択部と、を更に備え、
前記再生部は、前記第１再生信号及び前記第２再生信号のうち前記選択部が選択した信号に応じた音声を再生し、
前記第１記憶部は、前記第１再生信号及び前記第２再生信号のうち前記選択部が選択した信号に係る音声データを一時的に記憶する、請求項１又は２に記載のオーディオ装置。
【請求項４】
前記第２記憶部に記憶された前記第１楽曲データの音声品質を検出する検出部と、
前記検出部が検出した音声品質を示す音声品質情報を、前記第１楽曲データに係る楽曲を示す楽曲情報に紐付けて表示する表示部と、を更に備える、請求項１から３のいずれか一項に記載のオーディオ装置。
【請求項５】
前記第２記憶部に記憶された前記第１楽曲データの補完指示を受け付ける受付部と、
前記受付部が前記補完指示を受け付けた場合、通信ネットワークを介して、前記補完指示に係る楽曲に対応する第２楽曲データを取得する取得部と、
前記第２記憶部に記憶された前記第１楽曲データ、及び前記取得部により取得された前記第２楽曲データを合成することにより、合成楽曲データを生成する生成部と、を更に備え、
前記第２記憶部は、前記生成部が生成した前記合成楽曲データを記憶する、請求項４に記載のオーディオ装置。
【請求項６】
前記生成部は、前記第１楽曲データのうち、前記第２楽曲データよりも音声品質の悪い第１部分データを、前記第２楽曲データのうち該第１部分データに対応する第２部分データによって置き換えることにより、前記第１楽曲データ及び前記第２楽曲データを合成する、請求項５に記載のオーディオ装置。
【請求項７】
前記取得部は、前記受付部が前記補完指示を受け付けた場合、通信ネットワークを介して、前記補完指示に係る楽曲に対応する動画データを取得し、取得した前記動画データから前記第２楽曲データを抽出することにより、前記第２楽曲データを取得する、請求項５又は６に記載のオーディオ装置。
【発明の詳細な説明】
【技術分野】
【０００１】
本発明は、オーディオ装置に関する。
【背景技術】
【０００２】
従来から、ラジオ放送を受信し、当該ラジオ放送の信号に含まれる楽曲に係るデータを、記憶部に保存することによりサウンドライブラリを構築するオーディオ装置が知られている。
【０００３】
例えば、特許文献１には、ラジオ放送ではない音楽ソースを視聴している場合等に、デジタルラジオ放送の信号に含まれる楽曲識別情報に対応した楽曲の情報を表示し、ラジオ放送への切り替えが選択された場合に、受信したラジオ放送の信号に含まれる当該楽曲の音声信号を再生するオーディオ装置が開示されている。
【０００４】
また、例えば、特許文献２には、外部機器に記憶された楽曲を再生している場合に、ラジオ放送に含まれる楽曲識別情報に基づいてラジオ放送の楽曲が予め定めた条件に合致するかを判定し、条件に合致した楽曲を録音し、再生中の楽曲の再生が終了した後に録音した楽曲を再生させるコンテンツ再生装置が開示されている。
【先行技術文献】
【特許文献】
【０００５】
【特許文献１】特開２０１４−１７５８３１号公報
【特許文献２】特開２０１７−６０００２号公報
【発明の概要】
【発明が解決しようとする課題】
【０００６】
しかしながら、従来の構成では、保存すべき楽曲を、保存対象として逐一登録する必要があった。
【０００７】
そこで、本発明は、効率的に楽曲データを保存することのできるオーディオ装置を提供することを目的とする。
【課題を解決するための手段】
【０００８】
本発明の一態様に係るオーディオ装置は、第１放送波の受信処理を行うことにより第１再生信号を生成する第１放送処理部と、前記第１再生信号に応じた音声を再生する再生部と、前記第１再生信号に係る音声データを一時的に記憶する第１記憶部と、前記第１放送波に係る放送のタイムテーブルを取得するタイムテーブル取得部と、ユーザによる楽曲の保存指示を受け付ける保存指示受付部と、前記保存指示受付部が前記保存指示を受け付けた場合、前記タイムテーブルに基づいて、前記第１記憶部に一時的に記憶された前記音声データから、前記保存指示受付部が前記保存指示を受け付けた時刻に応じた所定の楽曲の第１楽曲データを切り出し、該第１楽曲データを記憶する第２記憶部と、を備える。
【０００９】
この態様によれば、効率的に音声品質の良い楽曲データを保存することができる。
【発明の効果】
【００１０】
本発明によれば、効率的に音声品質の良い楽曲データを保存することのできるオーディオ装置を提供することができる。
【図面の簡単な説明】
【００１１】
【図１】オーディオ装置１の概略構成図である。
【図２】オーディオ装置１による楽曲保存フローを説明するための図である。
【図３】タイムテーブルの一例を示す図である。
【図４】受信画面５００の一例を示す図である。
【図５】選択画面６００の一例を示す図である。
【図６】再生画面７００の一例を示す図である。
【図７】オーディオ装置１による楽曲補完フローを説明するための図である。
【図８】編集画面８００の一例を示す図である。
【発明を実施するための形態】
【００１２】
添付図面を参照して、本発明の好適な実施形態について説明する。（なお、各図において、同一の符号を付したものは、同一又は同様の構成を有する。）
【００１３】
（１）オーディオ装置１の構成
図１は、本発明の第１実施形態に係るオーディオ装置１の概略構成図である。オーディオ装置１は、アンテナ２ａ、２ｂ、２ｃと、ＩＰラジオ放送処理部１０ａと、デジタルラジオ放送処理部１０ｂと、アナログラジオ放送処理部１０ｃと、選択部１３と、オーディオ処理部１４と、スピーカ１５と、記憶部１６と、表示部１９と、操作部２０と、外部インタフェース２１と、制御部２２とを備える。
【００１４】
ＩＰラジオ放送処理部１０ａは、アンテナ２ａを介して、ＩＰラジオ放送の信号を受信し、所定の処理を行い、当該ＩＰラジオ放送に係る再生信号を生成し、選択部１３に出力する。ＩＰラジオ放送処理部１０ａは、例えば、ＤＣＭ（Ｄａｔａ  Ｃｏｍｍｕｎｉｃａｔｉｏｎ  Ｍｏｄｕｌｅ）１１ａと、ＩＰラジオデコーダ１２ａとを備える。ＤＣＭ１１ａは、インターネット等の無線通信ネットワークを介して、ラジオ放送に係る各種の情報を提供する情報センターとの間でデータの授受を行う通信装置である。情報センターは、例えば、各ラジオ局が利用する情報処理サーバや、各ラジオ局からの情報を一括で管理する中央サーバであってもよい。ＤＣＭ１１ａは、特に、無線通信ネットワークを介して、放送局からＩＰラジオ放送の信号を受信し、所定の処理を行った上でＩＰラジオデコーダ１２ａに信号を出力する。ＩＰラジオデコーダ１２ａは、ＤＣＭ１１ａから出力された信号に復号処理を行い、生成された再生信号を選択部１３に出力する。また、ＤＣＭ１１ｂは、ＩＰラジオ放送の信号に重畳されたメタデータを分離して、制御部２２に出力する。メタデータには、後述するタイムテーブル等が含まれる。なお、ＩＰラジオ放送処理部１０ａは、チャネルの異なる複数のＩＰラジオ放送のそれぞれについて上述の処理を行ってもよい。
【００１５】
デジタルラジオ放送処理部１０ｂは、アンテナ２ｂを介して、デジタルラジオ放送の信号を受信し、所定の処理を行い、当該デジタルラジオ放送に係る再生信号を生成し、選択部１３に出力する。デジタルラジオ放送処理部１０ｂは、例えば、不図示の検波部及び復調部等を備える。検波部は、アンテナ２ｂから入力された信号を受け、当該信号に対して検波処理を行うことにより検波信号を生成し、検波信号を復調部に出力する。復調部は、検波部から入力された検波信号を受け、当該検波信号に対して復調処理を行い、生成された再生信号を選択部１３に出力する。デジタルラジオ放送処理部１０ｂは、また、デジタルラジオ放送の信号にメタデータが含まれる場合、当該メタデータを分離して、制御部２２に出力する。なお、デジタルラジオ放送処理部１０ｂは、周波数の異なる複数のデジタルラジオ放送波のそれぞれについて上述の処理を行ってもよい。
【００１６】
アナログラジオ放送処理部１０ｃは、アンテナ２ｃを介して、アナログラジオ放送の信号を受信し、所定の処理を行い、当該アナログラジオ放送に係る再生信号を生成し、選択部１３に出力する。アナログラジオ放送処理部１０ｃは、アナログラジオ放送処理部１０ｃは、例えば、不図示の検波部及び復調部等を備える。検波部は、アンテナ２ｃから入力された信号を受け、当該信号に対して検波処理を行うことにより検波信号を生成し、検波信号を復調部に出力する。復調部は、検波部から入力された検波信号を受け、当該検波信号に対して復調処理を行い、生成された再生信号を選択部１３に出力する。なお、アナログラジオ放送処理部１０ｃは、周波数の異なる複数のアナログラジオ放送波のそれぞれについて上述の処理を行ってもよい。
【００１７】
ここで、一般に、ＩＰラジオ放送波、デジタルラジオ放送波、及びアナログラジオ放送波のうちの複数の放送波によって、同一の内容のラジオ番組を提供する、所謂サイマル放送が行われている。本実施形態においては、このように同一の内容の放送（サイマル放送）を行う放送波を、第１放送波及び第２放送波とする。第１放送波及び第２放送波はそれぞれ、ＩＰラジオ放送波、デジタルラジオ放送波、及びアナログラジオ放送波のうちの任意の組合せであってよい。
【００１８】
選択部１３は、サイマル放送に係る複数の再生信号の音声品質を検出し、これら複数の再生信号のうち音声品質の良い１つの再生信号を選択する。選択部１３は、例えば、不図示のフレームメモリ、デジタル−アナログ変換器、比較器、音声品質検出回路、ＤＳＰ（Ｄｉｇｉｔａｌ  Ｓｉｇｎａｌ  Ｐｒｏｃｅｓｓｏｒ）等を備える。選択部１３は、ＩＰラジオ放送処理部１０ａが出力した再生信号（ＩＰラジオ再生信号）、デジタルラジオ放送処理部１０ｂが出力した再生信号（デジタルラジオ再生信号）、及びアナログラジオ放送処理部１０ｃが出力した再生信号（アナログラジオ再生信号）を受ける。そして、選択部１３は、例えば、サイマル放送を行っているＩＰラジオ再生信号、デジタルラジオ再生信号、及びアナログラジオ再生信号それぞれの音声品質を検出する。そして、選択部１３は、例えば、検出した音声品質に基づいて、ＩＰラジオ再生信号、デジタルラジオ再生信号、及びアナログラジオ再生信号のうち音声品質が最も良いいずれか１つの信号を、オーディオ処理部１４、及びバッファメモリ１７へ出力する。
【００１９】
オーディオ処理部１４は、例えば、不図示のデジタル−アナログ変換部と、パワー増幅部とを備える。オーディオ処理部１４は、選択部１３により入力された信号に基づいて音声信号を生成し、該音声信号を増幅した上でスピーカ１５に出力する。スピーカ１５は、オーディオ処理部１４により入力された音声信号に基づいて音声を発生させる。
【００２０】
記憶部１６は、例えば、磁気テープ装置、磁気ディスク装置、及び光ディスク装置等で構成さる。記憶部１６は、制御部２２での処理に用いられるオペレーティングシステムプログラム、ドライバプログラム、アプリケーションプログラム、データ等を記憶する。記憶部１６は、バッファメモリ１７と、内部メモリ１８とを含む。
【００２１】
バッファメモリ１７は、所定の記憶容量を有しており、例えば、選択部１３から出力された再生信号を一時的に記憶する。
【００２２】
内部メモリ１８は、例えば、制御部２２の指令に応じて、バッファメモリ１７から切り出された楽曲データを記憶する。内部メモリ１８に記憶された楽曲データの集合は、所謂サウンドライブラリを構成する。
【００２３】
表示部１９は、例えばオーディオ装置１のＬＣＤ（Ｌｉｑｕｉｄ  Ｃｒｙｓｔａｌ  Ｄｉｓｐｌａｙ）により構成され、制御部２２の制御の下で、各種の画面を表示する。
【００２４】
操作部２０は、例えばオーディオ装置１の前面に設けられ、各種のボタン、方向キー、テンキー、若しくは表示部１９の上に配置されたタッチパネル等のハードウエア、または、表示部１９に当該ボタン、方向キー、テンキー等の機能を有するソフトウエアキーボードが仮想的に表示されたソフトウエアで構成される。また、操作部２０は、オーディオ装置１とは異なるリモートコントローラ端末からの操作内容を含む操作信号を受信可能な受信部で構成されてもよい。
【００２５】
外部インタフェース２１は、オーディオ装置１を、例えば、外部メモリ３及びユーザ端末４等と接続するためのインタフェース回路等で構成される。
【００２６】
外部メモリ３は、第２記憶部の他の一例である。外部メモリ３は、例えば、半導体メモリカードやＵＳＢメモリ装置等で構成される。外部メモリ３は、制御部２２の指令に応じて、バッファメモリ１７から切り出された楽曲データを記憶する。外部メモリ３に記憶された楽曲データの集合は、所謂サウンドライブラリを構成する。
【００２７】
制御部２２は、オーディオ装置１に内蔵されるＣＰＵ（Ｃｅｎｔｒａｌ  Ｐｒｏｃｅｓｓｉｎｇ  Ｕｎｉｔ）等で構成される。制御部２２は、記憶部１６に記憶されたプログラムにしたがって、オーディオ装置１の各部の動作を統括的に制御する。また、制御部２２は、ＤＣＭ１１ａを介して、通信ネットワークから基準時刻を取得してもよい。或いは、制御部２２は、オーディオ装置１が有する不図示の内部クロックから基準時刻を取得してもよい。
【００２８】
（２）オーディオ装置１の動作
次に、オーディオ装置１の動作について説明する。
【００２９】
（２−１）楽曲保存フロー
図２は、オーディオ装置１による楽曲保存フローを説明するための図である。この動作フローは、予め記憶部１６に記憶されているプログラムに基づいて、主に制御部２２により、オーディオ装置１の各要素が協働して実行される。
【００３０】
（ステップＳ１０１）
まず、ユーザが操作部２０を操作することにより、ユーザが選択したラジオ放送の再生が開始する。具体的には、ユーザは、ＩＰラジオ、デジタルラジオ放送、及びアナログラジオ放送の種別、及び周波数等を選択する。そして、選択されたラジオ放送に対応する放送処理部（ＩＰラジオ放送処理部１０ａ、デジタルラジオ放送処理部１０ｂ、又はアナログラジオ放送処理部１０ｃ）が出力する再生信号が、選択部１３を介して、オーディオ処理部１４及びスピーカ１５に出力される。このとき、選択部１３により、サイマル放送に係るＩＰラジオ再生信号、デジタルラジオ再生信号、及びアナログラジオ再生信号が相互に切り替えられてもよい。
【００３１】
（ステップＳ１０２）
次に、制御部２２は、ラジオ放送波にタイムテーブルが重畳されているか否かを判定する。
【００３２】
（ステップＳ１０３）
ラジオ放送にタイムテーブルが重畳されていないと判定された場合（ステップＳ１０２；Ｎｏ）、制御部２２は、ＤＣＭ１１ａを介して、情報センターにアクセスし、タイムテーブルを要求することにより、再生中のラジオ放送に係るタイムテーブルを取得する。
【００３３】
図３は、タイムテーブルの一例を示す図である。タイムテーブルは、時系列順に放送の内容を示したテーブルである。図３に示すとおり、タイムテーブルは、例えば、番組の内容毎に、開始時刻、終了時刻、内容タグ、及び楽曲情報等を含む。内容タグは、例えば、「ＭＣ」、「楽曲」、及び「ＣＭ」等を含む。「ＭＣ」は、番組において楽曲が再生されていない時間帯を示すタグである。「ＭＣ」タグは、例えば、司会者やゲストが会話をしているトークの時間帯を示す「トーク」や、特定のコーナーが開催される時間帯を示す「コーナー」等に細分化されてもよい。「楽曲」は、楽曲が再生されている時間帯を示すタグである。「ＣＭ」は、コマーシャルが流れている時間帯を示すタグである。内容タグが「楽曲」である時間帯には、「楽曲情報」が紐付けられている。「楽曲情報」は、当該楽曲のカテゴリー名、タイトル、アーティスト名、及びアルバム名等を含む。
【００３４】
（ステップＳ１０４）
図２に戻る。次に、制御部２２は、表示部１９に受信画面を表示させる。
【００３５】
図４は、受信画面５００の一例を示す図である。受信画面５００は、再生中のラジオ放送に係る各種情報を表示する画面である。受信画面５００は、図４に示すとおり、例えば、ラジオ放送の種別、放送局の情報、楽曲に関する情報等を含む。また、受信画面５００は、ライブラリ選択部を含み、当該ライブラリ選択部が選択されると、制御部２２は、後述する選択画面６００を表示する。また、受信画面５００は、保存指示部を含む。制御部２２は、ユーザが操作部２０を操作することにより当該保存指示部を選択した場合、保存指示を受け付ける。
【００３６】
図５は、選択画面６００の一例を示す図である。選択画面６００には、内部メモリ１８又は外部メモリ３に含まれるサウンドライブラリを構成する楽曲の一覧等が表示される。図５に示すとおり、選択画面６００は、評価、録音時間、楽曲名、再生ボタン、更新ボタン等を含む。制御部２２は、再生ボタンが選択されると、選択された楽曲の再生画面７００を表示部１９に表示させると共に、選択された楽曲に係る楽曲データを内部メモリ１８から呼び出し、オーディオ処理部１４及びスピーカ１５を介して当該楽曲を再生する。また、制御部２２は、更新ボタンが選択されると、選択された楽曲に関する編集画面８００を表示部１９に表示させる。
【００３７】
図６は、再生画面７００の一例を示す図である。再生画面７００には、再生中の楽曲について、当該データの保存日時、ラジオ局名、カテゴリー名、楽曲名、アーティスト名、アルバム名等の属性情報が表示される。また、再生画面７００では、再生中の楽曲についての内部メモリ１８に保存されたデータに利用制限が課されている場合、当該利用制限の内容が表示される。利用制限の内容は、例えば、再生回数、有効期限、無制限の表示等である。また、再生画面７００は、ライブラリボタンを含む。制御部２２は、ライブラリボタンの選択を受け付けると、選択画面６００を表示部１９に表示させる。
【００３８】
（ステップＳ１０５）
図２に戻る。次に、制御部２２は、保存指示を受け付けたか否かを判定する。
【００３９】
（ステップＳ１０６）
ユーザにより保存指示部が選択されたと判定された場合、制御部２２は、タイムテーブルを参照して、保存すべき楽曲を特定する。具体的には、制御部２２は、保存選択部が選択された時刻を特定し、タイムテーブルにおいて当該時刻に再生中の楽曲を、保存対象楽曲として特定する。図３に示すタイムテーブルの場合、１０時０５分４８秒から１０時０９分５１秒の間に保存選択部が選択された場合、当該時間帯に再生されている楽曲である「Ｙｅｓｔｅｒｄａｙ」が、保存対象楽曲として特定される。
（ステップＳ１０７）
次に、制御部２２は、保存対象楽曲の長さが、バッファメモリ１７の容量よりも大きいか否かを判定する。
【００４０】
（ステップＳ１０８）
保存対象楽曲の長さがバッファメモリ１７の容量よりも大きいと判定された場合（ステップＳ１０７；Ｙｅｓ）、制御部２２は、バッファメモリ１７に記憶されたデータを全て内部メモリ１８に退避させる。
【００４１】
（ステップＳ１０９）
次に、制御部２２は、楽曲の再生が終了したか否かを判定する。
【００４２】
（ステップＳ１１０）
楽曲の再生が終了していないと判定された場合（ステップＳ１０９；Ｎｏ）、バッファメモリ１７の容量分だけ待機した後、ステップＳ１０８へ戻る。
【００４３】
（ステップＳ１１１）
ステップＳ１０９において、楽曲の再生が終了したと判定された場合（ステップＳ１０９；Ｙｅｓ）、ステップＳ１０８において内部メモリ１８に退避しておいたデータから、保存対象楽曲のデータを切り出し、それらをつなぎ合わせることによりデータを合成し、内部メモリ１８のサウンドライブラリに保存する。
【００４４】
（ステップＳ１１２）
一方、ステップＳ１０７において、保存対象楽曲の長さがバッファメモリ１７の容量よりも大きくないと判定された場合（ステップＳ１０７；Ｎｏ）、制御部２２は、楽曲の再生が終了したか否かを判定する。そして、制御部２２は、楽曲の再生が終了するまで、待機する。
【００４５】
（ステップＳ１１３）
楽曲の再生が終了したと判定された場合（ステップＳ１１２；Ｙｅｓ）、制御部２２は、バッファメモリ１７に保存されたデータから、保存対象楽曲のデータを切り出し、当該データを内部メモリ１８のサウンドライブラリに保存する。以上で、楽曲保存フローが終了する。
【００４６】
（２−２）楽曲補完フロー
図７は、オーディオ装置１による楽曲補完フローを説明するための図である。この動作フローは、予め記憶部１６に記憶されているプログラムに基づいて、主に制御部２２により、オーディオ装置１の各要素が協働して実行される。
【００４７】
（ステップＳ２０１）
まず、制御部２２は、ユーザの操作部２０の操作による、編集画面８００の表示の選択を受け付ける。
【００４８】
（ステップＳ２０２）
次に、制御部２２は、内部メモリ１８に保存された各楽曲データについて、音声品質を検出する。なお、当該ステップに係る音声品質の検出処理は、予め実行しておいてもよい。
【００４９】
（ステップＳ２０３）
次に、制御部２２は、編集画面８００を表示部１９に表示させる。
【００５０】
図８は、編集画面８００の一例を示す図である。編集画面８００には、選択された楽曲について、音声品質を示す情報（録音状態）、データが途中で終わっているか否かを示す情報等が表示される。また、編集画面８００には、ダウンロード選択部、削除選択部、及び戻る選択部等が表示される。ダウンロード選択部は、楽曲データの音声品質を補完する楽曲補完処理を指示するための選択部である。
【００５１】
（ステップＳ２０４）
図７に戻る。次に、制御部２２は、ユーザが操作部２０を操作することにより、ダウンロード選択部を選択すると、当該選択を楽曲補完指示として受け付ける。
【００５２】
（ステップＳ２０５）
次に、制御部２２は、楽曲補完指示に係る楽曲に対応する楽曲データを、通信ネットワークを介して情報センターや他の管理サーバ等からダウンロードする。なお、制御部２２は、楽曲補完指示に係る楽曲に対応する動画データを、通信ネットワークを介して情報センターや他の管理サーバ等からダウンロードし、ダウンロードした当該動画データから所望の楽曲データを抽出してもよい。
【００５３】
（ステップＳ２０６）
次に、制御部２２は、内部メモリ１８に保存されている楽曲データ（第１楽曲データ）と、ステップＳ２０５でダウンロードした楽曲データ（第２楽曲データ）とを合成する。例えば、制御部２２は、第１楽曲データのうち、第２楽曲データの音声品質の悪い部分データ（第１部分データ）を、第２楽曲データのうち、第１部分データに対応する部分データ（第２部分データ）によって置き換える。
【００５４】
（ステップＳ２０７）
次に、制御部２２は、ステップＳ２０６で合成した楽曲データを、内部メモリ１８に保存する。以上で、楽曲保存フローが終了する。
【００５５】
本実施形態では、オーディオ装置１は、第１放送波の受信処理を行うことにより第１再生信号を生成し、第１再生信号に応じた音声を再生すると共に、第１再生信号に係る音声データを一時的に記憶する。そして、オーディオ装置１は、第１放送波に係る放送のタイムテーブルを取得し、ユーザによる楽曲の保存指示を受け付け、タイムテーブルに基づいて、一時的に記憶された音声データから、保存指示を受け付けた時刻に応じた楽曲の楽曲データを切り出し、当該楽曲データを記憶する。当該構成により、効率的に楽曲データを保存することができる。
【００５６】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５７】
１…オーディオ装置、２ａ、２ｂ、２ｃ…アンテナ、３…外部メモリ、１０ａ…ＩＰラジオ放送処理部、１０ｂ…デジタルラジオ放送処理部、１０ｃ…アナログラジオ放送処理部、１１ａ…ＤＣＭ、１２ａ…ＩＰラジオデコーダ、１３…選択部、１４…オーディオ処理部、１５…スピーカ、１６…記憶部、１７…バッファメモリ、１８…内部メモリ、１９…表示部、２０…操作部、２１…外部インタフェース、２２…制御部
【図１】
2019121958.tif 000003
【図２】
2019121958.tif 000004
【図３】
2019121958.tif 000005
【図４】
2019121958.tif 000006
【図５】
2019121958.tif 000007
【図６】
2019121958.tif 000008
【図７】
2019121958.tif 000009
【図８】
2019121958.tif 000010